【事件の表示】
　特願２０１６−１３２７４１「発光表示スティック装置及び発光表示システム」拒絶査定不服審判事件〔平成３０年　１月１１日出願公開、特開２０１８−　　５００６、請求項の数（１１）〕について、次のとおり審決する。
【結　論】
　原査定を取り消す。
　本願の発明は、特許すべきものとする。
【理　由】
第１　手続の経緯
特許出願：　平成２８年７月４日
拒絶査定：　平成２９年３月２８日（送達日：同年４月４日）
拒絶査定不服審判の請求：　平成２９年７月４日 
手続補正：　平成２９年７月４日 
第２　原査定の概要
　原査定（平成２９年３月２８日付け拒絶査定）の概要は次のとおりである。
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
・請求項１−１１
・引用文献等１−６
　引用文献等一覧
１.国際公開第２０１２／０７７５５２号
２.国際公開第２０１２／１０８０７６号
３.特開２００３−１２２２７５号公報
４.特開２０１４−０４４１６６号公報（周知技術を示す文献）
５.特開２００４−０９３３５８号公報（周知技術を示す文献）
６.特開２００５−０５５５６７号公報
第３　本願発明
　本願請求項１−１１に係る発明（以下、それぞれ「本願発明１」−「本願発明１１」という。）は、平成２９年７月４日付けの手続補正で補正された特許請求の範囲の請求項１−１１に記載された事項により特定される発明であり、以下のとおりの発明である。
「【請求項１】
　長尺基板に略直線状に配置した複数個の発光素子と、
　前記複数の発光素子を点灯するための点灯駆動部と、
　前記複数の発光素子の任意の基準角度からの角度を検出する角度センサと、
　送信装置からの受信情報を受信するための無線受信器と、
　前記無線受信器用の受信アンテナと、
　前記複数の発光素子の各々の点灯データを収納するためのメモリと、
　前記角度センサからの角度情報に対応させて前記メモリから該当する発光素子に係る点灯データを引出して該発光素子を点灯するように制御し、前記無線受信器によって受信された前記受信情報である前記メモリのアドレス情報に相当する前記メモリ中のアドレスに書き込まれた表示内容のうち前記角度センサからの角度情報に対応する座標の表示データを読み取り該読み取られた前記座標の表示データに相当する発光素子を点灯させるように制御する第１のマイクロコンピュータと
　を具備することを特徴とする発光表示スティック装置。
　　【請求項２】
　発光表示スティック装置及び送信装置を備えた発光表示システムであって、
　前記発光表示スティック装置は、
　長尺基板に略直線状に配置した複数個の発光素子と、前記複数の発光素子を点灯するための点灯駆動部と、前記複数の発光素子の任意の基準角度からの角度を検出する角度センサと、前記送信装置からの受信情報を受信するための無線受信器と、前記無線受信器用の受信アンテナと、前記複数の発光素子の各々の点灯データを収納するためのメモリと、前記角度センサからの角度情報に対応させて前記メモリから該当する発光素子に係る点灯データを引出して該発光素子を点灯するように制御し、前記無線受信器によって受信された前記受信情報である前記メモリのアドレス情報に相当する前記メモリ中のアドレスに書き込まれた表示内容のうち前記角度センサからの角度情報に対応する座標の表示データを読み取り該読み取られた前記座標の表示データに相当する発光素子を点灯させるように制御する第１のマイクロコンピュータとを備え、
　前記送信装置は、
　前記無線受信器に情報を送信するための第２のマイクロコンピュータ及び送信機を備えた
　ことを特徴とする発光表示システム。
　　【請求項３】
　請求項２記載の発光表示システムにおいて、前記発光表示スティック装置にモード切替スイッチをさらに備え、該モード切替スイッチを切り換えることにより表示形式が変更され得ることを特徴とする発光表示システム。
　　【請求項４】
　請求項２もしくは３記載の発光表示システムにおいて、前記発光表示スティック装置は発光色切替スイッチをさらに備え、該発光色切替スイッチを切り換えることにより前記発光素子の発光色を切り換えられることを特徴とする発光表示システム。
　　【請求項５】
　請求項２乃至４のうちいずれか１項記載の発光表示システムにおいて、前記発光表示スティック装置の前記発光素子は前記長尺基板の表裏両側に装備されることを特徴とする発光表示システム。
　　【請求項６】
　請求項２乃至５のうちいずれか１項記載の発光表示システムにおいて、前記発光表示スティック装置に装備される前記無線受信器によって前記送信装置からの送信信号情報が受信され、前記第１のマイクロコンピュータは前記受信された送信信号情報に基づき前記複数の発光素子を点灯させることを特徴とする発光表示システム。
　　【請求項７】
　請求項２乃至６のうちいずれか１項記載の発光表示システムにおいて、前記第１のマイクロコンピュータ及び前記第２のマイクロコンピュータのそれぞれに結合するためのインタフェースコネクタをさらに備えることを特徴とする発光表示システム。
　　【請求項８】
　請求項２乃至７のうちいずれか１項記載の発光表示システムにおいて、
前記送信装置は
　複数の前記発光表示スティック装置に同時に送信情報を送信できると共に前記送信情報に識別番号を付加し、
　特定の前記識別番号を有する発光表示スティック装置のみに情報を送信することを特徴とする発光表示システム。
　　【請求項９】
　請求項２乃至８のうちいずれか１項記載の発光表示システムにおいて、前記送信装置に指向性アンテナが用いられることを特徴とする発光表示システム。
　　【請求項１０】
　請求項２乃至９のうちいずれか１項記載の発光表示システムにおいて、前記発光表示スティック装置の先端部に小型プロジェクタが装備されることを特徴とする発光表示システム。
　　【請求項１１】
　請求項２乃至１０のうちいずれか１項記載の発光表示システムにおいて、前記発光表示スティック装置にはマイクがさらに備えられ、前記第１のマイクロコンピュータは前記マイクからの音声信号を音声認識することにより前記発光素子の表示を変化させることを特徴とする発光表示システム。 」
第４　引用文献、引用発明等
１．引用文献１について
　原査定の拒絶の理由に引用された引用文献１には、次の事項が記載されている。（下線は当審による。以下同様。）
「［請求項１］　複数個の発光素子を備えた発光表示スティック（棒）において、
該発光素子を点灯するための点灯駆動部と
角度センサ
各発光素子の点灯データを収納するメモリ
角度センサからの角度情報により前記メモリから点灯データを引き出し発光素子を点灯する
発光表示スティック
「［請求項６］　請求項１乃至４のいずれか１項記載の発光表示スティックにおいて、外部よりメモリデータを書き込み及び書き換え可能とし、書き込み及び書き換えのためのインタフェース部を更に備えることを特徴とする発光表示スティック。 」
「［0025］　図１は、本発明の一実施形態に係る発光表示スティック１の外観図である。文字表示スティック１は、取っ手２に結合された基板３と同じく取っ手２と結合され基板３を覆うカバー４から構成される。
基板３の表側Ａには
複数の発光素子５が長手方向に装備されている。
［0026］　図１の取っ手２には電池２６（図示せず）が収納されており、電池収納蓋９で固定されている。また、取っ手２の側面には文字表示のスタート角度を設定するためのスタートボタン６と電源ＯＮ／ＯＦＦ及び文字表示モードと全点灯モードとを切り替えるモード切替スイッチ７と表示文字の種類を選択したり全点灯の発光色を選択するセレクトスイッチ８及びパソコンや携帯電話との接続をするためのインタフェースコネクタ１０（図１ではコネクターカバーが付いた状態）が備えられている。
［0027］　図２は、本発明の一実施形態に係る発光表示スティック１のブロックダイヤグラムである。クロック発生部２５によって駆動される
マイクロコンピュータ（「μＣＰＵ」と略）２０は、角度センサ２４からの角度情報によりメモリ部２１の当該アドレスの表示データを読み出し、表示素子点灯ドライバを介して、表示データに従って基板３に装着された当該表示素子ＬＥＤ−１、ＬＥＤ−２、・・・・、ＬＥＤ−ｎを点灯させる。
「［0033］　図５は、本発明の一実施形態に係る発光表示スティック１を用いて文字表示を行う場合の説明図である。まず、
文字を表示したい角度
に発光表示スティック１をかざし、表示開始スタートボタンを押す、発光表示スティック１を右に振っていくと次々に発光素子が発光し、
発光表示スティック１が右に６０度振られたところで表示文字が全部表示され
６０度を超えて振られてもメモリには６０度までのデータしか収納されていないので発光素子が発光することはない。
　
　また、引用文献１の上記段落［0025］及び図１の記載から、長尺基板である基板３に、複数個の発光素子５が略直線状に配置されていることが読み取れる。そうすると、上記引用文献１には次の発明（以下、「引用発明」という。）が記載されていると認められる。
「長尺基板に略直線状に配置した複数個の発光素子と、（［0025］、図１参照。）
　該発光素子を点灯するための点灯駆動部と、（［請求項１］参照。）
　角度センサと、（［請求項１］参照。）
　各発光素子の点灯データを収納するメモリと、（［請求項１］参照。）
　角度センサからの角度情報により前記メモリから点灯データを引き出し発光素子を点灯する（［請求項１］参照。）、マイクロコンピュータ（［0027］参照。）と、
　を備える発光表示スティック（［請求項１］参照。）であって、
　文字を表示したい角度に発光表示スティック１をかざし、表示開始スタートボタンを押し、発光表示スティック１を右に振っていくと次々に発光素子が発光し、発光表示スティック１が右に６０度振られたところで表示文字が全部表示され、６０度を超えて振られてもメモリには６０度までのデータしか収納されていないので発光素子が発光することはない、（［0033］参照。）
　発光表示スティック。」
２．引用文献２について
　原査定の拒絶の理由に引用された引用文献２には、次の事項が記載されている。　
「［0002］　従来、一列に並べられた複数のＬＥＤ（Light Emitting Diode）が棒状部材等に設けられ、ユーザがスイング動作を行うことによって空間に文字や図形等の画像を表示させる
スイング式の表示装置
「［0024］　図１は、本発明にかかる表示装置の使用形態を示す。同図に示す例は、残像現象を利用して空間に画像を表示する表示装置１と、ＰＣ（Personal Computer）等の編集装置３０とを伝送路２０で接続し、表示装置１と編集装置３０との間で、空間に表示させる画像の表示パターンを示す表示パターンデータを伝送する場合の例である。編集装置３０は、伝送路２０を介して表示装置１から伝送された表示パターンを編集して記憶すると共に、編集装置３０上で新規作成された
表示パターンデータを伝送路２０を介して表示装置１に伝送することができる。
「［0107］　また、上述の例では、
伝送路２０として
赤外線を用いた無線通信を用いてもよい。
［0108］　さらに、無線通信としては、赤外線による通信に限られず、例えば、
Ｂｌｕｅｔｏｏｔｈ
を用いてもよい。
　
３．引用文献３について
　原査定の拒絶の理由に引用された引用文献３には、図面とともに次の事項が記載されている。
「【０００１】
【発明の属する技術分野】本発明は、回転表示装置に関し、特に、３６０度のパノラマ映像を生ずるように回転表示装置が柱に取り付けられる、柱を囲むように設けられる回転表示装置に関する。」
「【００２１】図６を参照するに、制御装置３０は、
マイクロ波受信装置３１
マイクロ波送信装置６３は、処理された信号を制御装置３０に送信する。
【００２２】制御装置３０は、制御ホスト６０から送られた
マイクロ波信号を受信するためにマイクロ波受信装置３１を用いる。
それらの信号は表示ユニット２０の各発光モジュール２３へ出力され、映像を形成して表示するために特定のＬＥＤ２３０が点灯される。
４．引用文献４について
　原査定の拒絶の理由に引用された引用文献４には、図面とともに次の事項が記載されている。
「【０００１】
  本発明は、進行方向を提示する電子機器、進行方向提示方法およびプログラム。
【背景技術】
【０００２】
  プロジェクタの小型化に伴って
プロジェクタを内蔵する携帯端末
  これにより、ユーザは、携帯端末を注視することなく、進むべき方向を知ることが可能となる、とされている。」
「【００２０】
  電子機器１００は、投影部１３０にてナビゲーション情報の投影を行う。
  図２は、電子機器１００の使用形態の例を示す説明図である。同図に示すように、
電子機器１００は、例えばストラップにて首からぶら下げて使用される。
  ここで、電子機器１００がストラップでぶら下げられた状態において、
電子機器１００の下側に投影部１３０の投影装置（プロジェクタ）が位置している。
  なお、以下では、投影部１３０の投影装置を、単に「投影装置」と表記する。
  ここでいうナビゲーション情報とは、電子機器１００のユーザ（以下、単に「ユーザ」と表記する）の進むべき向きを示す情報である。図２の例では、電子機器１００は、ユーザの進むべき向きを矢印にて示す画像をナビゲーション情報として投影している。」
５．引用文献５について
　原査定の拒絶の理由に引用された引用文献５には、図面とともに次の事項が記載されている。
「【００２６】
【発明の実施の形態】
以下、図面を参照しながら、本発明の携帯端末及び携帯端末により実行可能なプログラム並びにナビゲーションシステムの実施の形態について説明する。図１は、本発明の実施の形態の携帯端末を示す模式図であり、図１（ａ）は、本発明の実施の形態の携帯端末を示す断面図、図２（ｂ）は、本発明の実施の形態の携帯端末を示す正面図である。図１に示す
携帯端末１００は、
プロジェクタ５、
を有している。
【００２７】
内蔵アンテナ１は、近隣の無線基地局との通信を行う手段であり、無線基地局を介して、携帯端末１００と、インターネットやサーバ、データベースなどとの接続を可能とするものである。また、ＧＰＳ信号受信手段２は、携帯端末１００の現在位置を判断するため、ＧＰＳ衛星からの信号を受信する手段である。また、バッテリ３は、各手段において必要な電圧を供給する電源である。また、スピーカ４は、必要に応じて音声情報を出力する音声出力手段である。また、
プロジェクタ５は、文字情報や画像情報を光によって外部に投写するための手段であり、
６．引用文献６について
　原査定の拒絶の理由に引用された引用文献６には、図面とともに次の事項が記載されている。
「【００６２】
  
３次元画像表示装置４００
マイク４０８が外部環境の変化を検知するセンサーである。
「【００６５】
  上記のように本実施の形態の３次元画像表示装置は、電子受付嬢（アニメーション）５００の画像を３次元表示して電子受付機能を有している。それ故、３次元画像表示装置の周囲には、均等に８個のカメラ４０６と８個の指向性マイク４０８が取り付けてあり、その周囲３６０度方向の画像と音声を取り込むことができるようになっている。この
画像と音声の入力に従って、３次元画像の電子受付嬢５００が反応を示すようになっている。
第５　対比・判断
１．本願発明１について
（１）対比
　本願発明１と引用発明とを対比する。 
　まず、引用発明における「長尺基板に略直線状に配置した複数個の発光素子」、「該発光素子を点灯するための点灯駆動部」、「各発光素子の点灯データを収納するメモリ」、及び「発光表示スティック」は、それぞれ本願発明１の「長尺基板に略直線状に配置した複数個の発光素子」、「前記複数の発光素子を点灯するための点灯駆動部」、「前記複数の発光素子の各々の点灯データを収納するためのメモリ」、及び「発光表示スティック装置」に相当する。
　また、引用発明において「角度センサ」を用いる動作は、「文字を表示したい角度に発光表示スティック１をかざし、表示開始スタートボタンを押し、発光表示スティック１を右に振っていくと次々に発光素子が発光し、発光表示スティック１が右に６０度振られたところで表示文字が全部表示され、６０度を超えて振られてもメモリには６０度までのデータしか収納されていないので発光素子が発光することはない、」というものであるから、該「角度センサ」が任意の「文字を表示したい角度」からの「発光素子」の角度を検出するものであることは明らかである。そうすると、引用発明の上記「角度センサ」は、本願発明１の「前記複数の発光素子の任意の基準角度からの角度を検出する角度センサ」に相当するといえる。
　次に、引用発明の「角度センサからの角度情報により前記メモリから点灯データを引き出し発光素子を点灯する、マイクロコンピュータ」と、本願発明１の「前記角度センサからの角度情報に対応させて前記メモリから該当する発光素子に係る点灯データを引出して該発光素子を点灯するように制御し、前記無線受信器によって受信された前記受信情報である前記メモリのアドレス情報に相当する前記メモリ中のアドレスに書き込まれた表示内容のうち前記角度センサからの角度情報に対応する座標の表示データを読み取り該読み取られた前記座標の表示データに相当する発光素子を点灯させるように制御する第１のマイクロコンピュータ」とは、共に「前記角度センサからの角度情報に対応させて前記メモリから該当する発光素子に係る点灯データを引出して該発光素子を点灯するように制御」「する第１のマイクロコンピュータ」である点で共通するといえる。
　してみると、両者の一致点及び相違点は、以下のとおりである。
　                        
（一致点）
「長尺基板に略直線状に配置した複数個の発光素子と、
　前記複数の発光素子を点灯するための点灯駆動部と、
　前記複数の発光素子の任意の基準角度からの角度を検出する角度センサと、
　前記複数の発光素子の各々の点灯データを収納するためのメモリと、
　前記角度センサからの角度情報に対応させて前記メモリから該当する発光素子に係る点灯データを引出して該発光素子を点灯するように制御する第１のマイクロコンピュータと
　を具備することを特徴とする発光表示スティック装置。」
　
　（相違点）　
相違点１：本願発明１は、「送信装置からの受信情報を受信するための無線受信器」及び「前記無線受信器用の受信アンテナ」を備えるのに対し、引用発明は無線受信器に関する構成を有さない点。
　　
相違点２：本願発明１の「第１のマイクロコンピュータ」は、「前記無線受信器によって受信された前記受信情報である前記メモリのアドレス情報に相当する前記メモリ中のアドレスに書き込まれた表示内容のうち前記角度センサからの角度情報に対応する座標の表示データを読み取り該読み取られた前記座標の表示データに相当する発光素子を点灯させるように制御する」ものであるのに対し、引用発明の「マイクロコンピュータ」は「角度センサからの角度情報により前記メモリから点灯データを引き出し発光素子を点灯する」ものではあるが、その際に「前記無線受信器によって受信された前記受信情報である前記メモリのアドレス情報に相当する前記メモリ中のアドレスに書き込まれた表示内容のうち」に限定して読み取りを行うものではない点。
（２）相違点についての判断
　本願発明１の内容に鑑み、上記相違点２について検討する。              
　上記「第４」２．の引用文献２に記載されているとおり、「スイング式の表示装置」（本願発明１の「発光表示スティック装置」に相当。）において無線通信を行うという技術的事項は、本願出願日前において周知技術であったといえる。
　しかしながら、上記周知技術において無線通信により伝送されているものは「表示パターンデータ」自体であって、データに関するメモリ中のアドレス情報ではない。また、発光表示スティック装置において該アドレス情報を無線通信により伝送する（すなわち、無線通信により発光表示スティック装置の表示内容の選択を行う）という技術的事項は、引用文献３−６においても、記載も示唆もされていない。
　したがって、上記相違点１について判断するまでもなく、本願発明１は、当業者であっても、引用文献１ないし６に基づいて容易に発明できたものとはいえない。
２．本願発明２−１１について
　本願発明２−１１も、本願発明１の上記相違点２に係る構成と同一の構成を備えるものであるから、本願発明１と同じ理由により、当業者であっても、引用文献１ないし６に基づいて容易に発明できたものとはいえない。
第６　原査定について
　本願発明１−１１は、上記相違点２に係る構成を有するものであって、当業者であっても、拒絶査定において引用された引用文献１−６に基づいて、容易に発明できたものとはいえない。したがって、原査定の理由を維持することはできない。
第７　むすび
　以上のとおり、原査定の理由によっては、本願を拒絶することはできない。
　また、他に本願を拒絶すべき理由を発見しない。
　よって、結論のとおり審決する。